(57)【特許請求の範囲】
【請求項１】
股間部の前側及び後側にそれぞれ延出する前側部分及び後側部分を有し、
排泄物を吸収する吸収体が、前側部分から後側部分にかけて前後方向に延在された、吸収性物品において、
前記吸収体には、股間部又はその後側近傍における幅方向中央部を起点として、幅方向中央に沿って後側に延在する後側中央スリットと、前記起点から鼠径部に沿うように斜め左前側及び斜め右前側に向かってそれぞれ延在する一対の側部スリットとが形成されるとともに、前記一対の側部スリット間の領域における前端部と後端部との間に、幅方向中央部から斜め左後側及び斜め右後側に向かってそれぞれ延在する一対の中間部スリットが形成されており、
前記吸収体の股間部が幅方向両側から収縮した装着状態で、前記一対の側部スリット間の部分が左右から押し上げられて山状隆起部分を形成しうるとともに、前記中間部スリットを境目としてそれより前側の部分がそれより後側の部分に対して内側に屈曲しうるように構成された、
ことを特徴とする吸収性物品。
【請求項２】
前記吸収体には、前記起点から幅方向中央に沿って前側に延在する易折り曲げ部が形成されており、前記一対の側部スリット間の部分が左右から押し上げられるとき、前記易折り曲げ部を折目として山状隆起部分を形成しうるように構成された、請求項１記載の吸収性物品。
【請求項３】
前記一対の側部スリットの前端は、前記吸収体の前端より後側に離間しており、
前記吸収体には、前記一対の側部スリットの前端部間にわたるように幅方向に延在する前端部スリットが形成されている、請求項１又は２記載の吸収性物品。
【請求項４】
股間部の前側及び後側にそれぞれ延出する前側部分及び後側部分を有し、
排泄物を吸収する吸収体が、前側部分から後側部分にかけて前後方向に延在された、吸収性物品において、
前記吸収体には、股間部又はその後側近傍における幅方向中央部を起点として、幅方向中央に沿って後側に延在する後側中央スリットと、前記起点から鼠径部に沿うように斜め左前側及び斜め右前側に向かってそれぞれ延在する一対の側部スリットとが形成されており、
前記吸収体の股間部が幅方向両側から収縮した装着状態で、前記一対の側部スリット間の部分が左右から押し上げられて山状隆起部分を形成しうるように構成されており、
前記一対の側部スリットの前端は、前記吸収体の前端より後側に離間しており、
前記吸収体には、前記一対の側部スリットの前端部間にわたるように幅方向に延在する前端部スリットが形成されている、
ことを特徴とする吸収性物品。
【請求項５】
前記吸収体は少なくとも側部スリットを有する部分が上層及び下層からなる二層構造とされており、上層における吸収速度が下層における吸収速度よりも遅いものである、請求項１〜４のいずれか１項に記載の吸収性物品。
【発明の詳細な説明】
【技術分野】
【０００１】
本発明は、吸収性物品に関するものである。
【背景技術】
【０００２】
吸収性物品においては漏れの形態が種々あるが、その一つとして装着者が座位の状態で排泄をしたときに股間部に吸収容量を超える排泄物が集中して漏れが発生する形態（以下、座位時の漏れともいう）がある。このような漏れの形態は、成人向けの使い捨ておむつにおける尿吸収の際に発生し易いものである。
【先行技術文献】
【特許文献】
【０００３】
【特許文献１】特表２００２−５３８８４９号公報
【特許文献２】国際公開２００８／０６９２７９号
【発明の概要】
【発明が解決しようとする課題】
【０００４】
しかしながら、従来、このような座位時の漏れに対して有効な解決策が提供されていない。
そこで、本発明の主たる課題は、座位時における漏れ防止性能に優れた吸収性物品を提供することにある。
【課題を解決するための手段】
【０００５】
上記課題を解決した本発明は次記のとおりである。
＜請求項１記載の発明＞
股間部の前側及び後側にそれぞれ延出する前側部分及び後側部分を有し、
排泄物を吸収する吸収体が、前側部分から後側部分にかけて前後方向に延在された、吸収性物品において、
前記吸収体には、股間部又はその後側近傍における幅方向中央部を起点として、幅方向中央に沿って後側に延在する後側中央スリットと、前記起点から鼠径部に沿うように斜め左前側及び斜め右前側に向かってそれぞれ延在する一対の側部スリットとが形成されるとともに、前記一対の側部スリット間の領域における前端部と後端部との間に、幅方向中央部から斜め左後側及び斜め右後側に向かってそれぞれ延在する一対の中間部スリットが形成されており、
前記吸収体の股間部が幅方向両側から収縮した装着状態で、前記一対の側部スリット間の部分が左右から押し上げられて山状隆起部分を形成しうるとともに、前記中間部スリットを境目としてそれより前側の部分がそれより後側の部分に対して内側に屈曲しうるように構成された、
ことを特徴とする吸収性物品。
【０００６】
（作用効果）
本発明者の知見によれば、座位時に排尿があると、吸収体により吸収された尿の後側への移動が、股間部という幅が狭く且つ上下左右から押し潰された部分を通じての移動となるため、後側への拡散が阻害され、その結果として股間部に吸収容量を超える排泄物が集中して漏れが発生する。これに対して、本発明では、装着時に山状隆起部分の傾斜に沿って液状排泄物が左右両側及び後方へ向かって流れ落ちつつ吸収された後、側部スリット及びこれに連なる後側中央スリットを拡散通路として股間部後方に拡散される。この際、側部スリットは鼠径部に沿う部分に設けられ、後側中央スリットは股間中央部に設けられるため、いずれも座位時において押し潰され難い。よって、排泄物は効率よく後側に拡散され、吸収体をより広範囲にわたり吸収に利用することができる。そしてその結果、座位時において股間部に吸収容量を超える排泄物が集中し難くなり、漏れ防止性能に優れるようになる。
また、このように中間部スリットを設けることにより、山状隆起部分の機能を維持したまま山状隆起部分が身体表面に沿うように屈曲し、山状隆起部分のフィット性が向上するため好ましい。
【０００７】
＜請求項２記載の発明＞
前記吸収体には、前記起点から幅方向中央に沿って前側に延在する易折り曲げ部が形成されており、前記一対の側部スリット間の部分が左右から押し上げられるとき、前記易折り曲げ部を折目として山状隆起部分を形成しうるように構成された、請求項１記載の吸収性物品。
【０００８】
（作用効果）
このように折り曲げ部を設けることにより、装着時に自然に適切な形状となるため好ましい。
【０００９】
＜請求項３記載の発明＞
前記一対の側部スリットの前端は、前記吸収体の前端より後側に離間しており、
前記吸収体には、前記一対の側部スリットの前端部間にわたるように幅方向に延在する前端部スリットが形成されている、請求項１又は２記載の吸収性物品。
【００１０】
（作用効果）
このような前端部スリットを設けることにより、山状隆起部分よりも前側に加わる力が山状隆起部分の形状に影響し難くなり、また山状隆起部分よりも前側のフィット性も向上するため好ましい。
【００１１】
＜請求項４記載の発明＞
股間部の前側及び後側にそれぞれ延出する前側部分及び後側部分を有し、
排泄物を吸収する吸収体が、前側部分から後側部分にかけて前後方向に延在された、吸収性物品において、
前記吸収体には、股間部又はその後側近傍における幅方向中央部を起点として、幅方向中央に沿って後側に延在する後側中央スリットと、前記起点から鼠径部に沿うように斜め左前側及び斜め右前側に向かってそれぞれ延在する一対の側部スリットとが形成されており、
前記吸収体の股間部が幅方向両側から収縮した装着状態で、前記一対の側部スリット間の部分が左右から押し上げられて山状隆起部分を形成しうるように構成されており、
前記一対の側部スリットの前端は、前記吸収体の前端より後側に離間しており、
前記吸収体には、前記一対の側部スリットの前端部間にわたるように幅方向に延在する前端部スリットが形成されている、
ことを特徴とする吸収性物品。
【００１２】
（作用効果）
このような前端部スリットを設けることにより、山状隆起部分よりも前側に加わる力が山状隆起部分の形状に影響し難くなり、また山状隆起部分よりも前側のフィット性も向上するため好ましい。
【００１３】
＜請求項５記載の発明＞
前記吸収体は少なくとも側部スリットを有する部分が上層及び下層からなる二層構造とされており、上層における吸収速度が下層における吸収速度よりも遅いものである、請求項１〜４のいずれか１項に記載の吸収性物品。
【００１４】
（作用効果）
吸収体における上層の吸収速度を下層よりも遅くすると、前述した本発明の後方拡散作用がより一層のものとなるため好ましい。
【発明の効果】
【００１５】
以上のとおり本発明によれば、座位時における漏れ防止性能に優れるようになる、等の利点がもたらされる。
【図面の簡単な説明】
【００１６】
【図１】パッドタイプ使い捨ておむつの展開状態の内面側を示す平面図である。
【図２】要部のみを示す平面図である。
【図３】図１のＹ−Ｙ断面図である。
【図４】図１のＺ−Ｚ断面図である。
【図５】装着状態の平面図である。
【図６】装着状態の斜視図である。
【発明を実施するための形態】
【００１７】
以下、本発明の一実施形態について、添付図面に示されるパッドタイプ使い捨ておむつの例を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。図示形態のように、物品の前後方向中間あるいは吸収体の前後方向中間に幅の狭い括れ部分を有する場合は、「股間部」は括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。また吸収体における「スリット」とは、吸収体の表面から裏面に貫通する部分が所定の幅で表面に沿う方向に延在するものを意味する。
【００１８】
図１〜図４は、本発明に係るパッドタイプ使い捨ておむつ例２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度（ただし、おむつの吸収面の幅より狭い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００１９】
パッドタイプ使い捨ておむつ２００は、外面に外装シート３２が積層された不透液性バックシート２１の内面と、透液性トップシート２２との間に、吸収体２３が介在された基本構造を有している。
【００２０】
吸収体２３の裏面側には、不透液性バックシート２１が吸収体２３の周縁より若干食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２１】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２２】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２３】
トップシート２２と吸収体２３との間には、中間シート２５を介在させるのが望ましい。この中間シート２５は、吸収体２３により吸収した尿の逆戻りを防止するために設けられるものであり、保水性が低く、且つ透液性の高い素材、例えばメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは吸収体２３の幅Ｗ２の５０〜９０％程度であるのが好ましい。
【００２４】
パッドタイプ使い捨ておむつ２００の前後方向両端部では、外装シート３２および透液性トップシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の両側部では、外装シート３２が吸収体２３の側縁よりも外側にそれぞれ延在され、この延在部からトップシート２２の側部までの部分の内面にはバリヤシート２４の幅方向外側の部分２４ｘが前後方向全体にわたり貼り付けられ、吸収体２３の存在しないサイドフラップ部ＳＦを構成している。これら貼り合わせ部分は、図１では点模様で示されており、ホットメルト接着剤、ヒートシール、超音波シールにより形成できる。これらエンドフラップ部ＥＦ及びサイドフラップ部ＳＦは、本発明の周縁部をなし、これらにより囲まれる部分が本発明の本体部をなす。外装シート３２を設けない場合、外装シート３２に代えて不透液性バックシート２１をサイドフラップ部ＳＦまで延在させ、サイドフラップ部ＳＦの外面側を形成することができる。
【００２５】
バリヤシート２４の素材としては、プラスチックシートやメルトブローン不織布を使用することもできるが、肌への感触性の点で、不織布にシリコンなどにより撥水処理をしたものが好適に使用される。
【００２６】
バリヤシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２７】
また、両バリヤシート２４，２４は、幅方向外側の部分２４ｘが前後方向全体にわたりおむつ内面（図示形態ではトップシート２２表面および外装シート３２内面）に貼り合わされて固定されるとともに、幅方向中央側の部分２４ｃが、前後方向の両端部ではおむつ内面（図示形態ではトップシート２２表面）に貼り合わされて固定され、かつ前後方向の両端部間ではおむつ内面（図示形態ではトップシート２２表面）に固定されていない。この非固定部分は、図１に示されるように、おむつ内面（図示形態ではトップシート２２表面）に対して起立可能なバリヤ部となる部分であり、その起立基端２４ｂはバリヤシート２４における幅方向外側の固定部分２４ｘと内側の部分２４ｃとの境に位置する。
【００２８】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。高吸収性ポリマー粒子を混合する場合等、必要に応じて、吸収体２３はクレープ紙等の包装シート（図示せず）により包むことができる。また、吸収体２３の形状は、相対的に前側の部分が後側の部分よりも幅広な帯状、あるいは長方形状、台形状等、適宜の形状とすることができる。
【００２９】
吸収体２３は、股間部Ｃ２を含む前後方向中間の所定部分が幅の狭い括れ部分２３ｎとして形成されている。この括れ部分２３ｎの最小幅Ｗ３は、括れ部分２３ｎの前後に位置する非括れ部分の幅（吸収体２３の全幅）Ｗ２の５０〜６５％程度であるのが好ましい。また、おむつ前端を０％としおむつ後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ３となる部位（最小幅部位）は２５〜３０％の範囲に位置しているのが好ましい。
【００３０】
特徴的には、吸収体２３には、股間部Ｃ２又はその後側近傍における幅方向中央部を起点として、幅方向中央に沿って後側に延在する後側中央スリット４２と、起点から鼠径部に沿うように斜め左前側及び斜め右前側に向かってそれぞれ延在する一対の側部スリット４１とが形成されており、図５及び図６に示すように、吸収体２３の股間部Ｃ２が幅方向両側から収縮した装着状態で、一対の側部スリット４１間の部分が左右から押し上げられて山状隆起部分５０を形成するように構成されている。なお、図５及び図６においては、各スリット４１〜４５と対応する溝部（各スリット４１〜４５に沿って折れ曲がることにより形成される溝状の部分）に点線の引出線でスリットの符号を付している。
【００３１】
側部スリット４１の形状は、直線状とする他、幅方向外側又は中央側に膨出する弧状等の曲線状とするのも好ましい形態である。側部スリット４１の前端は吸収体２３の側縁から幅方向中央側にある程度（例えば吸収体２３の股間部Ｃ２の幅の１０〜２５％程度）離間しているのが好ましい。また、側部スリット４１の前後方向範囲は適宜定めることができるが、おむつ全長Ｌの１５〜５０％程度とするのが好ましく、特に起点を股間部Ｃ２の中央部又はその近傍としてそこから前側部分Ｆ２にかけて延在させるのが好ましい。さらに、側部スリットの傾斜角度θ１（側部スリット４１の前後方向に対する鋭角側傾斜角度）は、１５〜４５度の範囲内とするのが好ましい。
【００３２】
後側中央スリット４２は図示形態のように直線状とする他、後側に向かうに連れて幅が拡大する三角形状等とするのも好ましい形態である。後側中央スリット４２の前後方向範囲は適宜定めることができるが、おむつ全長Ｌの４０〜７０％程度とするのが好ましく、特に起点を股間部Ｃ２の中央部又はその近傍としてそこから後側部分Ｂ２にかけて延在させるのが好ましい。
【００３３】
山状隆起部分５０はそのままでは下腹部にフィットし難い。そこでこれを解決するために、図示形態の吸収体２３のように、一対の側部スリット４１間の領域における前端部と後端部との間に、幅方向中央部から斜め左後側及び斜め右後側に向かってそれぞれ延在する一対の中間部スリット４３が形成され、吸収体２３の股間部Ｃ２が幅方向両側から収縮した装着状態で、一対の側部スリット４１間の部分が左右から押し上げられて山状隆起部分５０を形成するとき、中間部スリット４３を境目としてそれより前側の部分がそれより後側の部分に対して内側に屈曲するように構成されているのは好ましい。このように中間部スリット４３を設けることにより、図５及び図６に示すように、山状隆起部分５０の機能を維持したまま山状隆起部分５０が身体表面に沿うように屈曲し、山状隆起部分５０のフィット性が向上する。
【００３４】
中間部スリット４３の形状は、直線状とする他、幅方向外側又は中央側に膨出する弧状等の曲線状とするのも好ましい形態である。中間部スリット４３の後端は側部スリット４１に繋げる他、側部スリット４１の内側に離間させたり、側部スリット４１を突き抜けてその外側に位置させたりすることができるが、吸収体２３の側縁から幅方向中央側にある程度（例えば吸収体２３の股間部Ｃ２の幅の２０〜３０％程度）離間しているのが好ましい。また、中間部スリット４３の前後方向範囲は適宜定めることができるが、おむつ全長Ｌの３０〜４５％程度とするのが好ましく、特に股間部Ｃ２と前側部分Ｆ２との境界又はその近傍から股間部Ｃ２にかけて延在させるのが好ましい。さらに、中間部スリットの傾斜角度θ２（中間部スリット４３の前後方向に対する鋭角側傾斜角度）は、３０〜６０度の範囲内とするのが好ましい。
【００３５】
また、山状隆起部分５０からその前側にかけて吸収体２３が連続していると、山状隆起部分５０の前側に加わる力が山状隆起部分５０の形状に影響するか、或いは山状隆起部分５０の前側部分Ｆ２が下腹部にフィットし難くなるおそれがある。そこでこれを解決するために、図示形態の吸収体２３のように、一対の側部スリット４１の前端は、吸収体２３の前端より後側に離間しており、吸収体２３には、一対の側部スリット４１の前端部間にわたるように幅方向に延在する前端部スリット４４が形成されているのは好ましい。これにより、図５及び図６に示すように、山状隆起部分５０の前側に加わる力が山状隆起部分５０の形状に影響し難くなり、また山状隆起部分５０よりも前側の部分のフィット性も向上するようになる。
【００３６】
前端部スリット４４の形状は、図示例のように前側に膨出する弧状等の曲線状とする他、前側に突出する屈曲線状、幅方向に沿う直線状とするのも好ましい形態である。前端部スリット４４の両端は側部スリット４１に繋げる他、側部スリット４１の内側に離間させたり、側部スリット４１を突き抜けてその外側に位置させたりすることができるが、吸収体２３の側縁から幅方向中央側にある程度（例えば吸収体２３の股間部Ｃ２の幅の１０〜２５％程度）離間しているのが好ましい。
【００３７】
さらに、装着時に適切な形状の山状隆起部分５０を自然に得るために、図示の吸収体２３のように、起点から幅方向中央に沿って前側に延在する前側中央スリット４５が形成されており、一対の側部スリット４１間の部分が左右から押し上げられるとき、前側中央スリット４５を折目として山状隆起部分５０を形成するように構成するのは好ましい形態である。この前側中央スリット４５に代えてエンボス加工による圧縮溝を吸収体２３の表面又は裏面に形成することにより易折り曲げ部を構成しても良い。
【００３８】
前側中央スリット４５は図示形態のように直線状とする他、前側に向かうに連れて幅が拡大する三角形状等とするのも好ましい形態である。前側中央スリット４５の前後方向範囲は適宜定めることができるが、おむつ全長Ｌの１０〜２５％程度とするのが好ましく、特に起点を股間部Ｃ２の中央部又はその近傍としてそこから前側部分Ｆ２にかけて延在させるのが好ましい。
【００３９】
以上のように構成されたパッドタイプ使い捨ておむつ２００においては、座位時に排尿があると、山状隆起部分５０の傾斜に沿って液状排泄物が左右両側及び後方へ向かって流れ落ちつつ吸収された後、側部スリット４１及びこれに連なる後側中央スリット４２を拡散通路として股間部Ｃ２後方に拡散される。この際、側部スリット４１は鼠径部に沿う部分に設けられ、後側中央スリット４２は股間中央部に設けられるため、いずれも座位時において押し潰され難い。よって、排泄物は効率よく後側に拡散され、吸収体２３をより広範囲にわたり吸収に利用することができる。そしてその結果、座位時において股間部Ｃ２に吸収容量を超える排泄物が集中し難くなり、漏れ防止性能に優れるようになる。
【００４０】
他方、このような効果の観点から、吸収体２３における少なくとも側部スリット４１を有する部分、好ましくは全スリットを有する部分を上層及び下層からなる二層構造とし、上層における吸収速度が下層における吸収速度よりも遅くするのも好ましい形態である。このように、吸収体２３における上層の吸収速度を下層よりも遅くすると、前述した本発明の後方拡散作用がより一層のものとなる。上層及び下層間に吸収速度差を形成する手法は適宜定めることができるが、例えば、上層及び下層にそれぞれ高吸収性ポリマーを含有させるとともに、上層における高吸収性ポリマーとして下層における高吸収性ポリマーよりも吸収速度の遅いものを用いる、といったことが考えられる。なお、なお、上層に用いる高吸収性ポリマーの吸収速度としては、ＪＩＳ  Ｋ  ７２２４−１９９６に規定される「高吸水性樹脂の吸水速度試験方法」に規定される吸水速度（ｇ／ｇ／ｓ）で、２０〜４０（ｇ／ｇ／ｓ）程度のものが好適である。
【産業上の利用可能性】
【００４１】
本発明は、パッドタイプ、パンツタイプ若しくはテープタイプ使い捨ておむつ、または生理用ナプキン等、吸収性物品全般に利用できるものである。
【符号の説明】
【００４２】
２１…不透液性バックシート、２２…透液性トップシート、２３…吸収体、２３ｎ…括れ部分、２４…バリヤシート、３２…外装シート、４１…側部スリット、４２…後側中央スリット、４３…中間部スリット、４４…前端部スリット、４５…前側中央スリット、５０…山状隆起部分、２００…パッドタイプ使い捨ておむつ、Ｃ２…股間部、Ｆ２…前側部分、Ｂ２…後側部分、Ｌ…おむつ全長、Ｗ１…おむつ全幅、Ｗ２…吸収体全幅、θ１…側部スリットの傾斜角度、θ２…中間部スリットの傾斜角度。
【図１】
0005851727.tif 000002
【図２】
0005851727.tif 000003
【図３】
0005851727.tif 000004
【図４】
0005851727.tif 000005
【図５】
0005851727.tif 000006
【図６】
0005851727.tif 000007